(57)【要約】  【課題】  画像信号の色の再現性を向上させることができること。  【解決手段】  互いに異なる色で発光する複数の発光素子を含む多色発光源６２と、被写体を撮像する撮像部１１６と、多色発光源６２の各発光素子ごとに発光量を制御することにより多色発光源６２の発光バランスを切り換える発光バランス切換部１７３であって、撮像部１１６から出力される各色別の画像信号が飽和しない範囲内で、撮像部の分光感度特性に基づいて撮像部の感度が低い色ほど強く発光させる発光バランス切換部１７３を備えた。【選択図】  図５
2007017623.tif 000002
【特許請求の範囲】
【請求項１】
互いに異なる色で発光する複数の発光素子を含む多色発光源と、
被写体を撮像する撮像手段と、
前記多色発光源の前記各発光素子ごとに発光量を制御することにより前記多色発光源の発光バランスを切り換える発光バランス切換手段であって、前記撮像手段から出力される各色別の画像信号が飽和しない範囲内で、前記撮像手段の分光感度特性に基づいて前記撮像手段の感度が低い色ほど強く発光させる発光バランス切換手段と、
を備えたことを特徴とする撮影装置。
【請求項２】
互いに異なる色で発光する複数の発光素子を含む多色発光源と、
被写体を撮像する撮像手段と、
前記被写体の本撮影前に、前記撮像手段から出力される各色別の画像信号に基づいて外光の色配分比を算出する算出手段と、
前記多色発光源の前記各発光素子ごとに発光量を制御することにより前記多色発光源の発光バランスを切り換える発光バランス切換手段であって、前記被写体の本撮影時に、前記算出手段によって算出された色配分比が低い色ほど強く発光させる発光バランス切換手段と、
を備えたことを特徴とする撮影装置。
【請求項３】
互いに異なる色で発光する複数の発光素子を含む多色発光源と、
被写体を撮像する撮像手段と、
前記被写体の本撮影前に、前記撮像手段から出力される各色別の画像信号に基づいて前記被写体の色配分比を算出する算出手段と、
前記多色発光源の前記各発光素子ごとに発光量を制御することにより前記多色発光源の発光バランスを切り換える発光バランス切換手段であって、前記被写体の本撮影時に、前記算出手段の算出結果に基づいて前記被写体の色配分比が低い色ほど強く発光させる発光バランス切換手段と、
を備えたことを特徴とする撮影装置。
【請求項４】
互いに異なる色で発光する複数の発光素子を含む多色発光源と、
被写体を撮像する撮像手段と、
被写体距離を示す距離情報を取得する距離情報取得手段と、
前記多色発光源の前記各発光素子ごとに発光量を制御することにより前記多色発光源の発光バランスを切り換える発光バランス切換手段であって、前記距離情報取得手段によって取得された前記距離情報に基づいて前記被写体との距離が遠いほど強く発光させる発光バランス切換手段と、
を備えたことを特徴とする撮影装置。
【請求項５】
前記撮像手段から出力された画像信号を前記多色発光源の発光量比に基づいて補正する補正手段を備えたことを特徴とする請求項１乃至４のいずれか１項に記載の撮影装置。
【請求項６】
前記補正手段によって補正された前記画像信号を所定の記録媒体に記録する記録手段を備えたことを特徴とする請求項５に記載の撮影装置。
【請求項７】
前記撮像手段から出力された画像信号を前記多色発光源の前記各発光素子の発光量を示す発光量情報とともに所定の記録媒体に記録する記録手段を備えたことを特徴とする請求項１乃至４のいずれか１項に記載の撮影装置。
【請求項８】
前記記録媒体に記録された前記画像信号を、該画像信号とともに記録された前記発光量情報に基づいて補正する補正手段を備えたことを特徴とする請求項７に記載の撮影装置。
【請求項９】
互いに異なる色で発光する複数の発光素子を含む多色発光源の発光を制御する発光制御装置において、
前記多色発光源の前記各発光素子ごとに発光量を制御することにより前記多色発光源の発光バランスを切り換える発光バランス切換手段であって、被写体を撮像する撮像手段から出力される各色別の画像信号が飽和しない範囲内で、前記撮像手段の分光感度特性に基づいて前記撮像手段の感度が低い色ほど強く発光させる発光バランス切換手段を備えたことを特徴とする発光制御装置。
【請求項１０】
互いに異なる色で発光する複数の発光素子を含む多色発光源の発光を制御する発光制御装置において、
被写体の本撮影前に、前記被写体を撮像する撮像手段から出力される各色別の画像信号に基づいて外光の色配分比を算出する算出手段と、
前記多色発光源の前記各発光素子ごとに発光量を制御することにより前記多色発光源の発光バランスを切り換える発光バランス切換手段であって、前記被写体の本撮影時に、前記算出手段によって算出された色配分比が低い色ほど強く発光させる発光バランス切換手段を備えたことを特徴とする発光制御装置。
【請求項１１】
互いに異なる色で発光する複数の発光素子を含む多色発光源の発光を制御する発光制御装置において、
被写体の本撮影前に、前記被写体を撮像する撮像手段から出力される各色別の画像信号に基づいて前記被写体の色配分比を算出する算出手段と、
前記多色発光源の前記各発光素子ごとに発光量を制御することにより前記多色発光源の発光バランスを切り換える発光バランス切換手段であって、前記被写体の本撮影時に、前記算出手段の算出結果に基づいて前記被写体の色配分比が低い色ほど強く発光させる発光バランス切換手段を備えたことを特徴とする発光制御装置。
【請求項１２】
互いに異なる色で発光する複数の発光素子を含む多色発光源の発光を制御する発光制御装置において、
被写体距離を示す距離情報を取得する距離情報取得手段と、
前記多色発光源の前記各発光素子ごとに発光量を制御することにより前記多色発光源の発光バランスを切り換える発光バランス切換手段であって、前記距離情報取得手段によって取得された前記距離情報に基づいて前記被写体との距離が遠いほど強く発光させる発光バランス切換手段と、
を備えたことを特徴とする発光制御装置。
【請求項１３】
請求項９乃至１２のいずれか１項に記載の発光制御装置と、
前記多色発光源と、
を備えたことを特徴とする発光装置。
【発明の詳細な説明】
【技術分野】
【０００１】
本発明は撮影装置、発光制御装置及び発光装置に係り、特に複数の発光素子からなる多色発光源を発光させる撮影装置、発光制御装置及び発光装置に関する。
【背景技術】
【０００２】
従来、キセノンガスに電圧をかけて閃光を発するストロボ装置（エレクトリックフラッシュともいう）が知られている。
【０００３】
一方で、３色以上（例えば赤、緑、青）の発光ダイオードからなる多色発光源を有したストロボ装置が提案されている（特許文献１を参照）。
【特許文献１】特開２００２−１１６４８１号公報
【発明の開示】
【発明が解決しようとする課題】
【０００４】
被写体をＣＣＤ（Charge Coupled Device）などの撮像素子で撮像して得られる画像信号において、特定の色成分のＳＮ比が低下するという問題がある。
【０００５】
例えば、赤、緑、青の発光ダイオード（ＬＥＤ）からなる多色発光源から被写体に光を照射したとき、被写体のうちで光源色（赤、緑、青）の成分が少ない部分は光源色成分が多い部分と比較して反射光量が少なくなるため、被写体を撮像して得られる画像信号において、その光源色成分が少ない部分のＳＮ比は、光源色の成分が多い部分のＳＮ比と比較して、低下してしまう。
【０００６】
また、例えば、被写体のうちで撮像素子の感度が低い色成分が多い部分のＳＮ比は、撮像素子の感度が高い色成分が多い部分のＳＮ比と比較して、低下してしまう。
【０００７】
したがって、被写体の色分布に因っては、画像信号の色再現性が悪くなる場合がでてくる。
【０００８】
本発明はこのような事情に鑑みてなされたもので、色の再現性を向上させることができる撮影装置、発光制御装置及び発光装置を提供することを目的とする。
【課題を解決するための手段】
【０００９】
前記目的を達成するために、請求項１に記載の発明は、互いに異なる色で発光する複数の発光素子を含む多色発光源と、被写体を撮像する撮像手段と、前記多色発光源の前記各発光素子ごとに発光量を制御することにより前記多色発光源の発光バランスを切り換える発光バランス切換手段であって、前記撮像手段から出力される各色別の画像信号が飽和しない範囲内で、前記撮像手段の分光感度特性に基づいて前記撮像手段の感度が低い色ほど強く発光させる発光バランス切換手段を備えたことを特徴とする撮影装置を提供する。
【００１０】
この発明によれば、撮像手段から出力される各色別の画像信号が飽和しない範囲内で、撮像手段の分光感度特性に基づいて撮像手段の感度が低い色ほど強く発光されるので、ＳＮ比の良い画像信号を取得することができることになり、したがって、画像信号の色の再現性を向上させることが可能になる。
【００１１】
請求項２に記載の発明は、互いに異なる色で発光する複数の発光素子を含む多色発光源と、被写体を撮像する撮像手段と、前記被写体の本撮影前に、前記撮像手段から出力される各色別の画像信号に基づいて外光の色配分比を算出する算出手段と、前記多色発光源の前記各発光素子ごとに発光量を制御することにより前記多色発光源の発光バランスを切り換える発光バランス切換手段であって、前記被写体の本撮影時に、前記算出手段によって算出された色配分比が低い色ほど強く発光させる発光バランス切換手段を備えたことを特徴とする撮影装置を提供する。
【００１２】
この発明によれば、被写体の本撮影前に撮像手段から出力される各色別の画像信号に基づいて外光の色配分比が算出されて、被写体の本撮影時にその色配分比が低い色ほど強く発光されるので、ＳＮ比の良い画像信号を取得することができることになり、したがって、画像信号の色の再現性を向上させることが可能になる。
【００１３】
請求項３に記載の発明は、互いに異なる色で発光する複数の発光素子を含む多色発光源と、被写体を撮像する撮像手段と、前記被写体の本撮影前に、前記撮像手段から出力される各色別の画像信号に基づいて前記被写体の色配分比を算出する算出手段と、前記多色発光源の前記各発光素子ごとに発光量を制御することにより前記多色発光源の発光バランスを切り換える発光バランス切換手段であって、前記被写体の本撮影時に、前記算出手段の算出結果に基づいて前記被写体の色配分比が低い色ほど強く発光させる発光バランス切換手段を備えたことを特徴とする撮影装置を提供する。
【００１４】
この発明によれば、被写体の本撮影前に撮像手段から出力される各色別の画像信号に基づいて被写体の色配分比が算出されて、被写体の本撮影時にその色配分比が低い色ほど強く発光されるので、ＳＮ比の良い画像信号を取得することができることになり、したがって、画像信号の色の再現性を向上させることが可能になる。
【００１５】
請求項４に記載の発明は、互いに異なる色で発光する複数の発光素子を含む多色発光源と、被写体を撮像する撮像手段と、被写体距離を示す距離情報を取得する距離情報取得手段と、前記多色発光源の前記各発光素子ごとに発光量を制御することにより前記多色発光源の発光バランスを切り換える発光バランス切換手段であって、前記距離情報取得手段によって取得された前記距離情報に基づいて前記被写体との距離が遠いほど強く発光させる発光バランス切換手段と、を備えたことを特徴とする撮影装置を提供する。
【００１６】
この発明によれば、被写体距離に基づいて被写体との距離が遠いほど強く発光されるので、ＳＮ比の良い画像信号を取得することができることになり、したがって、画像信号の色の再現性を向上させることが可能になる。
【００１７】
請求項５に記載の発明は、請求項１乃至４のいずれか１項に記載の発明において、前記撮像手段から出力された画像信号を前記多色発光源の発光量比に基づいて補正する補正手段を備えたことを特徴とする撮影装置を提供する。
【００１８】
請求項６に記載の発明は、請求項５に記載の発明において、前記補正手段によって補正された前記画像信号を所定の記録媒体に記録する記録手段を備えたことを特徴とする撮影装置を提供する。
【００１９】
請求項７に記載の発明は、請求項１乃至４のいずれか１項に記載の発明において、前記撮像手段から出力された画像信号を前記多色発光源の前記各発光素子の発光量を示す発光量情報とともに所定の記録媒体に記録する記録手段を備えたことを特徴とする撮影装置を提供する。
【００２０】
請求項８に記載の発明は、請求項７に記載の発明において、前記記録媒体に記録された前記画像信号を、該画像信号とともに記録された前記発光量情報に基づいて補正する補正手段を備えたことを特徴とする撮影装置を提供する。
【００２１】
請求項９に記載の発明は、互いに異なる色で発光する複数の発光素子を含む多色発光源の発光を制御する発光制御装置において、前記多色発光源の前記各発光素子ごとに発光量を制御することにより前記多色発光源の発光バランスを切り換える発光バランス切換手段であって、被写体を撮像する撮像手段から出力される各色別の画像信号が飽和しない範囲内で、前記撮像手段の分光感度特性に基づいて前記撮像手段の感度が低い色ほど強く発光させる発光バランス切換手段を備えたことを特徴とする発光制御装置を提供する。
【００２２】
請求項１０に記載の発明は、互いに異なる色で発光する複数の発光素子を含む多色発光源の発光を制御する発光制御装置において、被写体の本撮影前に、前記被写体を撮像する撮像手段から出力される各色別の画像信号に基づいて外光の色配分比を算出する算出手段と、前記多色発光源の前記各発光素子ごとに発光量を制御することにより前記多色発光源の発光バランスを切り換える発光バランス切換手段であって、前記被写体の本撮影時に、前記算出手段によって算出された色配分比が低い色ほど強く発光させる発光バランス切換手段を備えたことを特徴とする発光制御装置を提供する。
【００２３】
請求項１１に記載の発明は、互いに異なる色で発光する複数の発光素子を含む多色発光源の発光を制御する発光制御装置において、被写体の本撮影前に、前記被写体を撮像する撮像手段から出力される各色別の画像信号に基づいて前記被写体の色配分比を算出する算出手段と、前記多色発光源の前記各発光素子ごとに発光量を制御することにより前記多色発光源の発光バランスを切り換える発光バランス切換手段であって、前記被写体の本撮影時に、前記算出手段の算出結果に基づいて前記被写体の色配分比が低い色ほど強く発光させる発光バランス切換手段を備えたことを特徴とする発光制御装置を提供する。
【００２４】
請求項１２に記載の発明は、互いに異なる色で発光する複数の発光素子を含む多色発光源の発光を制御する発光制御装置において、被写体距離を示す距離情報を取得する距離情報取得手段と、前記多色発光源の前記各発光素子ごとに発光量を制御することにより前記多色発光源の発光バランスを切り換える発光バランス切換手段であって、前記距離情報取得手段によって取得された前記距離情報に基づいて前記被写体との距離が遠いほど強く発光させる発光バランス切換手段を備えたことを特徴とする発光制御装置を提供する。
【００２５】
請求項１３に記載の発明は、請求項９乃至１２のいずれか１項に記載の発光制御装置と、前記多色発光源を備えたことを特徴とする発光装置を提供する。
【発明の効果】
【００２６】
本発明によれば、色の再現性を向上させることができる。
【発明を実施するための最良の形態】
【００２７】
以下、添付図面に従って、本発明を実施するための最良の形態について詳細に説明する。
【００２８】
図１は、本発明を適用した電子カメラ１０を正面側から見た外観を示す斜視図である。
【００２９】
図１において、撮影レンズ１２は、フォーカスレンズを含む複数の光学レンズから構成されている。
【００３０】
シャッタボタン４０１は、撮影準備指示や撮影開始指示を入力するための操作手段であり、半押し時にオンするスイッチ（Ｓ１スイッチ）と、全押し時にオンするスイッチ（Ｓ２スイッチ）とを有する二段ストローク式のスイッチで構成されている。
【００３１】
ストロボ装置６０は、多色発光源６２を有し、被写体に向けて複数色（例えば、赤色、緑色、青色、及び、青緑色）の光を同時に発光可能である。すなわち、ストロボ装置６０は、複数波長の光を同時に発光可能な発光装置である。
【００３２】
このようなストロボ装置６０の多色発光源６２は、互いに異なる色で発光する複数の発光素子からなる。例えば、赤色、緑色、青色、及び、青緑色の発光ダイオード（ＬＥＤ：Light Emitting Diode）によって多色発光源が構成される。
【００３３】
このような多色発光源６２を構成する発光素子は、特に発光ダイオードに限定されず、撮影時に被写体に照射すべき十分な発光量で発光可能であれば、電圧をかけると発光する有機物を用いた有機ＥＬ（Electroluminescence）素子、プラズマを用いて発光を行うプラズマ発光素子などによって多色発光源６２を構成してもよい。
【００３４】
なお、多色発光源６２を構成する複数の発光素子は互いに隣接して配置されているので、複数波長の光（例えば、赤色、緑色、青色、及び、青緑色の光）を同時に被写体に向けて発光したとき、人の目には一般にひとつの色として視認されることになる。また、各発光素子ごとに発光量を変えることにより、すなわち発光バランスを様々に変えることにより、人の目には様々な色の光が視認されることになる。
【００３５】
図２は、図１の電子カメラ１０を背面側から見た外観を示す斜視図である。
【００３６】
図２において、液晶モニタ５２は、カラー表示可能な液晶ディスプレイ（ＬＣＤ：Liquid Crystal Display）によって構成されている。
【００３７】
モード選択スイッチ４０２は、被写体を撮影して画像データをメモリカードなどの記録メディアに記録するための撮影モード、及び、記録メディアに記録されている画像データを液晶モニタ５２に再生表示するための再生モードのうちいずれかのモードを選択するための操作手段である。
【００３８】
発光バランス切換スイッチ４０３は、予め決められた標準の発光バランスで発光（通常発光）を行うか、そのような通常発光とは発光バランスを変えて被写体に合った発光バランスで発光（バランス発光）を行うかを切り換えるための操作手段である。
【００３９】
メニュー／ＯＫキー４０４は、液晶モニタ５２にメニューを表示させる指示、及び、メニュー上で選択された内容の確定および実行などの指示を入力するための操作手段である。
【００４０】
十字キー４０５は、メニュー上での選択などのために、上下左右４方向の指示を入力する操作手段である。
【００４１】
図３（ａ）及び（ｂ）は、ストロボ装置６０の多色発光源の例を示す正面図である。
【００４２】
図３（ａ）に示される多色発光源６２ａは、赤（Ｒ）色で発光する赤色ＬＥＤ６２Ｒ、緑（Ｇ）色で発光する緑色ＬＥＤ６２Ｇ、青（Ｂ）色で発光する青色ＬＥＤ６２Ｂ、及び、青緑（Ｅ：Emerald）色で発光する青緑色ＬＥＤ６２Ｅを、ひとつずつ備えている。
【００４３】
図３（ｂ）に示される多色発光源６２ｂは、赤色ＬＥＤ６２Ｒ、緑色ＬＥＤ６２Ｇ、青色ＬＥＤ６２Ｂ、及び、青緑色ＬＥＤ６２Ｅを、それぞれ複数備えている。なお、赤色ＬＥＤ６２Ｒ、緑色ＬＥＤ６２Ｇ、青色ＬＥＤ６２Ｂ、及び、青緑色ＬＥＤ６２Ｅの数は、同数でなくてもよく、例えば各ＬＥＤ６２Ｒ、６２Ｇ、６２Ｂ、６２Ｅをフル発光させた時に白色光となるような割合で配設する。
【００４４】
図４は、図１の電子カメラ１０の内部構成の具体例を示す要部ブロック図である。
【００４５】
カメラ１０全体の動作は、所定のプログラムに従って中央処理装置（ＣＰＵ：Central Processing Unit）７０によって統括制御される。
【００４６】
操作部４０は、図１及び図２に示した、シャッタボタン４０１、モード選択スイッチ４０２、発光バランス切換スイッチ４０３、メニュー／ＯＫキー４０４、十字キー４０５、その他の操作手段である。操作部４０の各種の操作手段（４０１、４０２、４０３、４０４、４０５など）からの入力信号はＣＰＵ７０に入力され、これらの信号に基づいてＣＰＵ７０は電子カメラ１０の各部を制御する。
【００４７】
撮影レンズ１２は、フォーカスレンズを含む複数の光学レンズから構成されている。絞り１４は、開口径の変化により撮影レンズ１２の絞り値を変化させるものである。撮影レンズ１２はレンズ駆動部４２によって駆動され、絞り１４は絞り駆動部４４によって駆動されるようになっている。具体的には、フォーカスレンズが駆動されると合焦距離が変化し、絞り１４が駆動されると絞り値が変化して露出の光量が変化する。
【００４８】
距離情報取得部４１は、被写体と撮影レンズ１２との間の距離（以下「被写体距離」という）を取得するものである。距離情報取得部４１には、アクティブ式及びパッシブ式がある。アクティブ式としては、例えば、赤外光を被写体に向けて投射して反射光を受光し三角測量原理に従い距離を測定するものや、超音波の反射時間を計測して距離を測定するものがある。パッシブ式としては、例えば、オートフォーカスに基づいて距離を求めるものや、二つの被写体像を比較して三角測量原理で距離を求めるもの、二つの被写体像の位相差により測定するものがある。以下では、距離情報取得部４１として、撮影レンズ１２を用いたオートフォーカスに基づいて距離を求める場合を例に説明する。
【００４９】
撮影レンズ１２及び絞り１４を介して固体撮像素子（ＣＣＤ：Charge Coupled Devices）１６の受光面に被写体像が結像される。
【００５０】
ＣＣＤ１６の受光面には、多数のフォトダイオード（受光素子）が二次元的に配列されている。各フォトダイオードには、フィルタ(例えば赤色（Ｒ）、緑色（Ｇ）及び青色（Ｂ）のカラーフィルタ)を介して被写体の反射光が入射するようになっている。ＣＣＤ１６の受光面に結像された被写体像は、各フォトダイオードによって光の入射光量に応じた量の信号電荷に変換されて蓄積される。このようにして蓄積された信号電荷は、ＣＣＤ駆動回路４６から加えられるリードゲートパルスによって信号電荷に応じた電圧信号として順次読み出される。すなわち、ＣＣＤ１６からＲ、Ｇ、Ｂ各色別の画像信号が出力される。
【００５１】
なお、本実施形態では、撮像素子としてのＣＣＤ１６が赤（Ｒ）、緑（Ｇ）、青（Ｂ）の各色別に信号電荷を蓄積する受光素子としてのフォトダイオードを有している場合を例に説明するが、本発明はこれに限るものではなく、例えば、Ｒ、Ｇ、Ｂに青緑（Ｅ）を加えた４色別に信号電荷を蓄積する受光素子を有する撮像素子を用いてもよい。
【００５２】
また、ＣＣＤ１６は、電子シャッタ機能を有しており、各フォトダイオードの電荷蓄積時間（シャッタスピード）を制御する。
【００５３】
ＣＣＤ１６から順次読み出されたＲ、Ｇ、Ｂ各色別の画像信号としての電圧信号は、相関二重サンプリング回路（ＣＤＳ回路）１８に加えられ、ここでＲ、Ｇ、Ｂ各色別の画像信号がサンプリングホールドされ、Ａ／Ｄ変換器２０に加えられる。Ａ／Ｄ変換器２０は、ＣＤＳ回路１８から順次加えられるアナログのＲ、Ｇ、Ｂ信号をデジタルのＲ、Ｇ、Ｂ信号に変換して出力する。尚、ＣＣＤ駆動回路４６、ＣＤＳ回路１８及びＡ／Ｄ変換器２０は、タイミング発生回路２２から加えられるタイミング信号によって同期して駆動されるようになっている。
【００５４】
Ａ／Ｄ変換器２０から出力されたＲ、Ｇ、Ｂ各色別の画像信号は、一旦メモリ２４に格納され、その後、メモリ２４に格納されたＲ、Ｇ、Ｂ各色別の画像信号は、デジタル信号処理回路２６に加えられる。デジタル信号処理回路２６は、同時化回路２８、画像補正回路３０、ガンマ補正回路３２、ＹＣ信号作成回路３４、及びメモリ３６等から構成されている。
【００５５】
同時化回路２８は、メモリ２４から読み出された点順次のＲ、Ｇ、Ｂ各色別の画像信号を同時式に変換し、Ｒ、Ｇ、Ｂ各色別の画像信号を同時に画像補正回路３０に出力する。
【００５６】
画像補正回路３０は、Ｒ、Ｇ、Ｂ各色別の画像信号のデジタル値をそれぞれ増減するための乗算器３０Ｒ、３０Ｇ、３０Ｂから構成されており、Ｒ、Ｇ、Ｂ各色別の画像信号は、それぞれ乗算器３０Ｒ、３０Ｇ、３０Ｂに加えられる。乗算器３０Ｒ、３０Ｇ、３０Ｂの他の入力には、ＣＰＵ７０から補正係数（ゲイン値）が加えられており、乗算器３０Ｒ、３０Ｇ、３０Ｂはそれぞれ２入力を乗算し、この乗算によって補正された画像信号（Ｒ’、Ｇ’、Ｂ’信号）をガンマ補正回路３２に出力する。
【００５７】
ガンマ補正回路３２は、補正された画像信号（Ｒ’、Ｇ’、Ｂ’信号）が所望のガンマ特性となるように入出力特性を変更し、ＹＣ信号作成回路３４に出力する。ＹＣ信号作成回路３４は、ガンマ補正されたＲ、Ｇ、Ｂ各色別の画像信号から輝度信号Ｙとクロマ信号Ｃｒ、Ｃｂとを作成する。これらの輝度信号Ｙとクロマ信号Ｃｒ、Ｃｂ（ＹＣ信号）は、メモリ２４と同じメモリ空間のメモリ３６に格納される。
【００５８】
ここで、メモリ３６内のＹＣ信号を読み出し、液晶モニタ５２に出力することによりスルー画像や撮影された静止画等を液晶モニタ５２に表示させることができる。
【００５９】
また、撮影後のＹＣ信号は、圧縮／伸長回路５４によって所定のフォーマットに圧縮されたのち、記録部５６にてメモリカードなどの記録メディア５８に記録される。
【００６０】
更に、再生モード時には記録メディア５８に記録されている画像データが圧縮／伸長回路５４によって伸長処理された後、液晶モニタ５２に出力され、液晶モニタ５２に再生画像が表示されるようになっている。
【００６１】
ここで、ストロボ装置６０の発光制御について、その概要を説明する。
【００６２】
ＣＰＵ７０は、操作部４０の発光バランス切換スイッチ４０３によって設定されている発光モード（通常発光であるか、バランス発光であるか）に従って、ストロボ装置６０の発光を制御する。
【００６３】
ＣＰＵ７０は、具体的には、ストロボ装置６０の多色発光源６２を構成している各ＬＥＤ６２Ｒ、６２Ｇ、６２Ｂ、６２Ｅの発光量を各ＬＥＤ６２Ｒ、６２Ｇ、６２Ｂ、６２Ｅごとに制御することにより、発光バランスを制御する。このような発光バランス制御については後に詳述する。
【００６４】
次に、画像補正について、その概要を説明する。
【００６５】
メモリ２４に一時格納されたＲ、Ｇ、Ｂ各色の画像信号から、１画面を複数のエリア（８×８）に分割した各分割エリアごとにＲ、Ｇ、Ｂ各色別の画像信号の色別の平均積算値を求める。これらの分割エリアごとのＲ、Ｇ、Ｂ各色別の画像信号の平均積算値は、積算回路４８によって算出され、ＣＰＵ７０に与えられる。なお、積算回路４８とＣＰＵ７０との間には乗算器５０Ｒ、５０Ｇ、５０Ｂが設けられており、乗算器５０Ｒ、５０Ｇ、５０Ｂには、機器のバラツキを調整するための調整ゲイン値が加えられるようになっている。
【００６６】
ＣＰＵ７０は、通常発光時、積算回路４８から与えられた分割エリアごとのＲ、Ｇ、Ｂ各色別の画像信号の平均積算値に基づいて、デジタル信号処理回路２６の画像補正回路３０に与えるＲ、Ｇ、Ｂ各色の補正係数（ゲイン値）を算出し、その補正係数をデジタル信号処理回路２６の画像補正回路３０に与える。
【００６７】
一方で、ＣＰＵ７０は、通常発光とは発光バランスを切り換えるバランス発光時、ストロボ装置６０の多色発光源６２を構成している各ＬＥＤ６２Ｒ、６２Ｇ、６２Ｂ、６２Ｅの発光量に基づいて、デジタル信号処理回路２６の画像補正回路３０に与えるＲ、Ｇ、Ｂ各色の補正係数（ゲイン値）を算出し、その補正係数をデジタル信号処理回路２６の画像補正回路３０に与える。
【００６８】
なお、ＣＰＵ７０の制御による発光制御の態様及び画像補正制御の態様については各種あるので、以下では分けて説明する。
【００６９】
＜第１実施形態＞
図５は、本発明に係る第１実施形態の電子カメラ１０ａの機能的構成を示す要部ブロック図である。
【００７０】
図５において、第１実施形態の電子カメラ１０ａは、主として、撮像部１１６、補正部１２６、信号レベル測定部１４８、表示部１５２、記録部５６、多色発光源６２、信号レベル比算出部１７１、発光量比算出部１７２、発光バランス切換部１７３、及び、補正係数算出部１７４を含んで構成されている。
【００７１】
図５に示す第１実施形態の機能的構成の電子カメラ１０ａの構成要素と図４に示す基本構成の電子カメラ１０の構成要素との対応関係について簡単に説明すると、撮像部１１６は主として図４のＣＣＤ１６によって構成され、補正部１２６は主として図４のデジタル信号処理回路２６によって構成され、信号レベル測定部１４８は主として図４の積算回路４８によって構成され、表示部１５２は主として図４の液晶モニタ５２によって構成され、信号レベル比算出部１７１、発光量比算出部１７２、発光バランス切換部１７３及び補正係数算出部１７４は主として図４のＣＰＵ７０によって構成されている。
【００７２】
撮像部１１６の分光感度特性は、カラーフィルタ、フォトダイオード、フォトダイオードに蓄積された電荷を取り込む回路などの特性の差に因って決まる。具体的には、撮像部１１６の分光感度特性は、Ｒ、Ｇ、Ｂ各色別の感度で表される。詳細には、例えば、撮像部１１６への入射光量がＲ：Ｇ：Ｂ＝１：１：１であるときのＲ、Ｇ、Ｂ各色別の信号レベルの比（Ｒ：Ｇ：Ｂ）で表される。
【００７３】
信号レベル測定部１４８は、Ｒ、Ｇ、Ｂ各色別の画像信号のレベル（信号レベル）を測定する。このような信号レベルとして、具体的には、例えば、Ｒ、Ｇ、Ｂ各色別の画像信号のピーク値や平均値などを用いる。本実施形態では、図４の積算回路４８によって分割エリアごとに測定されたＲ、Ｇ、Ｂ各色別の平均積算値のピーク値を信号レベルとして用いている。
【００７４】
信号レベル比算出部１７１は、信号レベル測定部１４８によって測定されたＲ、Ｇ、Ｂ各色別の信号レベルに基づいて信号レベル比（Ｒ信号レベルとＧ信号レベルとＢ信号レベルの比）を算出する。このような信号レベル比は、外光の色配分比や、被写体の色配分比（すなわち被写体の反射光の色配分比）を示す値として用いられる。すなわち、信号レベル比算出部１７１は、外光の色配分比を算出する手段や、被写体の色配分比を算出する手段として、機能する。
【００７５】
発光量比算出部１７２は、信号レベル比算出部１７１によって算出された信号レベル比に基づいて、多色発光源６２を構成しているＬＥＤ６２Ｒ、６２Ｇ、６２Ｂ、６２Ｅの発光量比を算出する。具体的には、発光量比として、赤（Ｒ）ＬＥＤ６２Ｒの発光量と緑（Ｇ）ＬＥＤ６２Ｇの発光量と青（Ｂ）ＬＥＤ６２Ｂの発光量と青緑（Ｅ）ＬＥＤ６２Ｅの発光量との比を算出する。このようにしてＬＥＤ６２Ｒ、６２Ｇ、６２Ｂ、６２Ｅの発光量比を算出することにより、多色発光源６２の発光バランスを決める。
【００７６】
発光バランス切換部１７３は、発光量比算出部１７２によって算出された発光量比で多色発光源６２のＬＥＤ６２Ｒ、６２Ｇ、６２Ｂ、６２Ｅを発光させることにより、多色発光源６２の発光バランスを切り換える。
【００７７】
このようにして多色発光源６２の発光バランスを切り換える際、発光バランス切換部１７３は、撮像部１１６から出力されるＲ、Ｇ、Ｂ各色別の画像信号がそれぞれ飽和しない範囲内で多色発光源６２の発光バランスを切り換える。
【００７８】
例えば、図６に示すように、信号レベル比がＲ：Ｇ：Ｂ＝１：４：２であったとすると、最も信号レベルが高いＧ信号を基準（１倍）としてＲ信号のレベルを４倍にするとともにＢ信号のレベルを２倍とするように、多色発光源６２を構成しているＬＥＤ６２Ｒ、６２Ｇ、６２Ｂ、６２Ｅの発光量比を決定する。ここで、信号レベルが低い色（図６に示す例ではＲ）ほど強くなるように発光させる。
【００７９】
本発明の理解を容易にするために、Ｒ、Ｇ、Ｂの３色のＬＥＤ６２Ｒ、６２Ｇ、６２Ｂのみ発光させるものとし、特定の色のＬＥＤ（例えば６２Ｒ）の発光量をｎ倍にするとそのＬＥＤの色（例えばＲ）と同じ色の画像信号（例えばＲ信号）のレベルがｎ倍になるものとする。そうすると、信号レベル比が図６に示すようにＲ：Ｇ：Ｂ＝１：４：２であったときには、発光量比がＲ：Ｇ：Ｂ＝４：１：２となるように、発光バランスを切り換える。
【００８０】
このような信号レベル比に基づく多色発光源６２の発光バランスの切換は、図２の発光バランス切換スイッチ４０３がオン状態である場合のみ行う一方で、発光バランス切換スイッチ４０３がオフ状態である場合には、通常発光として、多色発光源６２全体で白色発光を行うようにＬＥＤ６２Ｒ、６２Ｇ、６２Ｂ、６２Ｅの発光量を設定する。例えば、Ｒ、Ｇ、Ｂの３色のＬＥＤ６２Ｒ、６２Ｇ、６２Ｂのみ発光させる場合、発光量の比をＲ：Ｇ：Ｂ＝１：１：１とする。
【００８１】
なお、本発明の理解を容易にするため、Ｒ、Ｇ、Ｂの３色のＬＥＤ６２Ｒ、６２Ｇ、６２Ｂのみ発光させる場合について説明したが、実際には、色の再現性を向上させるため、緑（Ｇ）の波長と青（Ｂ）の波長の間の波長を有する青緑（Ｅ）のＬＥＤ６２Ｅも発光させることが、好ましい。
【００８２】
補正係数算出部１７４は、発光量比算出部１７２によって算出された発光量比に基づいて、Ｒ、Ｇ、Ｂ各色別の画像信号に乗算されるＲ、Ｇ、Ｂ各色別の補正係数を算出する。
【００８３】
補正部１２６は、補正係数算出部１７４によって算出されたＲ、Ｇ、Ｂ各色別の補正係数をＲ、Ｇ、Ｂ各色別の画像信号に乗算することにより、撮像部１１６から出力された画像信号を補正する。
【００８４】
補正部１２６によって補正された画像信号は、表示部１５２に表示されるともに、記録部５６によって所定の記録メディアに記録される。
【００８５】
図７はプリ発光（被写体の本撮影前の発光）及び本発光（被写体の本撮影時の発光）を行う場合の電子カメラ１０ａの動作の流れを示すタイミングチャートである。
【００８６】
シャッタボタン４０１の半押し（すなわち撮影準備指示の入力）によりＳ１スイッチがオンとなったとき、多色発光源６２をプリ発光させるとともに、撮像部１１６から画像信号を取り込んで、信号レベル比算出、発光量比算出、及び、補正係数算出を行う。
【００８７】
また、シャッタボタン４０１の全押し（すなわち撮影開始指示の入力）によりＳ２スイッチがオンとなったとき、多色発光源６２を本発光させるとともに、撮像部１１６から画像信号を取り込んで、その画像信号を補正し、補正された画像信号の記録や再生表示を行う。
【００８８】
図７のタイミングチャートに示す動作により、例えば、プリ発光時は標準の発光バランス（例えばＲ：Ｇ：Ｂ＝１：１：１）で多色発光源６２を発光させて被写体の色配分比を測定して、通常発光時における被写体の反射光の色配分比を予測し、Ｒ、Ｇ、Ｂ各色別の画像信号が飽和しない範囲内で多色発光源６２のＬＥＤ６２Ｒ、６２Ｇ、６２Ｂ、６２Ｅを個別に制御して、被写体の色配分が低い色ほど強く発光させる。
【００８９】
図８は発光を行わない場合の本電子カメラ１０ａの動作の流れを示すタイミングチャートである。図７のタイムチャートと異なる点は、プリ発光及び本発光を行わないことである。
【００９０】
図８のタイミングチャートに示す動作により、例えば、外光の色配分比を測定して、Ｒ、Ｇ、Ｂ各色別の画像信号が飽和しない範囲内で多色発光源６２のＬＥＤ６２Ｒ、６２Ｇ、６２Ｂ、６２Ｅを個別に制御して、外光の色配分が低い色ほど強く発光させる。
【００９１】
図９は、第１実施形態の電子カメラ１０ａにおける制御処理の一例の流れの概略を示すフローチャートである。
【００９２】
なお、以下では、本発明の理解を容易にするために、多色発光源６２のＬＥＤ６２Ｒ、６２Ｇ、６２Ｂ、６２ＥのうちでＲ、Ｇ、Ｂの３色のＬＥＤ６２Ｒ、６２Ｇ、６２Ｂのみ発光させる場合を例に説明する。
【００９３】
まず、被写体の本撮影前に、ストロボ６０の多色発光源６２を構成するＲ、Ｇ、Ｂ各色のＬＥＤ６２Ｒ、６２Ｇ、６２Ｂを、標準の発光量比（Ｒ：Ｇ：Ｂ＝１：１：１）でプリ発光させる（Ｓ１０２）。
【００９４】
次に、プリ発光時に撮像部１１６から出力されるＲ、Ｇ、Ｂ各色別の画像信号のレベル（信号レベル）を測定して（Ｓ１０４）、信号レベル比を求め（Ｓ１０６）、その信号レベル比に基づいて、被写体の本撮影時のＬＥＤ６２Ｒ、６２Ｇ、６２Ｂの発光量比を算出する（Ｓ１０８）。
【００９５】
そして、Ｒ信号、Ｇ信号及びＢ信号のうちで最も信号レベルが高い画像信号を除く他の画像信号（すなわち相対的に信号レベルが低い画像信号）の信号レベルを上げるように、かつ、各色別の信号レベルを飽和させない範囲内で（すなわち各色別の信号レベルが最大値に達しない範囲内で）、全体的に信号レベルが低い色ほど強く発光するような発光量比を算出する。
【００９６】
例えば、プリ発光時に測定されたＲの信号レベルが６０／２５６、Ｇの信号レベルが２４０／２５６、Ｂの信号レベルが１２０／２５６であったものする。そうすると、信号レベル比は略Ｒ：Ｇ：Ｂ＝１：４：２なので、発光量比はＲ：Ｇ：Ｂ＝４：１：２とする。
【００９７】
このようにして算出された発光量比でＲ、Ｇ、Ｂ各色のＬＥＤ６２Ｒ、６２Ｇ、６２Ｂを本発光させて、撮像部１１６により被写体を撮像（撮影）する（Ｓ１１２）。
【００９８】
そして、撮像部１１６から出力されたＲ、Ｇ、Ｂ各色別の画像信号を取得し（Ｓ１１４）、デジタル信号処理を施す（Ｓ１１６）。
【００９９】
このデジタル信号処理（Ｓ１１６）において、Ｒ、Ｇ、Ｂ各色別の画像信号に対して、前述の発光量比に対応する補正係数が乗じられる（Ｓ１１８）。
【０１００】
例えば、発光量比を前述のようにＲ：Ｇ：Ｂ＝４：１：２とした場合には、Ｒ、Ｇ、Ｂ各色別の画像信号にそれぞれ乗じる補正係数はＲ：Ｇ：Ｂ＝１／４：１：１／２となる。
【０１０１】
なお、一般に、発光量と画像信号のレベルの対応関係は線形ではないので、各色別の画像信号に補正係数を乗じる前にγ補正を行う。
【０１０２】
このようにして発光量比に対応する補正係数が乗算されたＲ、Ｇ、Ｂ各色別の画像信号は、メモリカードなどの記録メディアに記録されるとともに（Ｓ１２２）、表示部１５２に再生表示される（Ｓ１２４）。
【０１０３】
＜第２実施形態＞
図１０は、本発明に係る第２実施形態の電子カメラ１０ｂの機能的構成を示す要部ブロック図である。
【０１０４】
図１０において、第２実施形態の電子カメラ１０ｂは、主として、撮像部１１６、補正部１２６、信号レベル測定部１４８、表示部１５２、記録部５６、多色発光源６２、信号レベル比算出部１７１、発光量比算出部１７２、発光バランス切換部１７３、及び、補正係数算出部１７４を含んで構成されている。
【０１０５】
なお、図１０において、図５に示す第１実施形態の電子カメラ１０ａの構成要素と同じ構成要素には同じ符号を付してある。
【０１０６】
第２実施形態における記録部５６は、撮像部１１６から出力されたＲ、Ｇ、Ｂ各色別の画像信号（「ＲＡＷデータ」ともいう）を、多色発光源６２の各ＬＥＤ６２Ｒ、６２Ｇ、６２Ｂ、６２Ｅの発光量比（又は発光量）を示す発光量情報と関連付けて所定の記録メディアに記録する。
【０１０７】
また、第２実施形態における補正係数算出部１７４は、記録メディアに記録されている補正前のＲ、Ｇ、Ｂ各色別の画像信号に対して乗じる補正係数を、この画像信号と関連付けられて記録メディアに記録されていた発光量情報に基づいて算出する。
【０１０８】
図１１は、第２実施形態の電子カメラ１０ｂにおけるプリ発光時及び本発光時の制御処理の一例についてその処理の流れの概略を示すフローチャートである。
【０１０９】
なお、以下では、Ｒ、Ｇ、Ｂの３色のＬＥＤ６２Ｒ、６２Ｇ、６２Ｂのみ発光させる場合を例に説明する。
【０１１０】
まず、被写体の本撮影前に、ストロボ６０の多色発光源６２を、標準の発光量比（Ｒ：Ｇ：Ｂ＝１：１：１）でプリ発光させる（Ｓ２０２）。
【０１１１】
次に、プリ発光時に撮像部１１６から出力されるＲ、Ｇ、Ｂ各色別の画像信号のレベル（信号レベル）を測定して（Ｓ２０４）、信号レベル比を求め（Ｓ２０６）、その信号レベル比に基づいて、被写体の本撮影時のＬＥＤ６２Ｒ、６２Ｇ、６２Ｂの発光量比を算出する（Ｓ２０８）。
【０１１２】
次に、算出された発光量比でＲ、Ｇ、Ｂ各色のＬＥＤ６２Ｒ、６２Ｇ、６２Ｂを本発光させて、撮像部１１６により被写体を撮像（撮影）し（Ｓ２１２）、撮像部１１６から出力されたＲ、Ｇ、Ｂ各色別の画像信号を取得する（Ｓ２１４）。
【０１１３】
第２実施形態においては、Ｒ、Ｇ、Ｂ各色別の画像信号（ＲＡＷデータ）とＲ、Ｇ、Ｂの発光量比とを互いに関連付けて、所定の記録メディアに記録する（Ｓ２１６）。
【０１１４】
図１２は、第２実施形態の電子カメラ１０ｂにおける画像再生時の制御処理の一例の流れの概略を示すフローチャートである。
【０１１５】
まず、記録メディアから、Ｒ、Ｇ、Ｂ各色別の画像信号（ＲＡＷデータ）と、このＲＡＷデータに関連付けられた発光量比とを取得し（Ｓ２２２）、ＲＡＷデータに対して、発光量比に基づくデジタル信号処理を施す（Ｓ２２４）。
【０１１６】
このデジタル信号処理（Ｓ２２４）において、Ｒ、Ｇ、Ｂ各色別の画像信号に対して、前述の発光量比に対応する補正係数が乗じられる（Ｓ２２４）。
【０１１７】
なお、一般に、発光量と画像信号のレベルの対応関係は線形ではないので、各色別の画像信号に補正係数を乗じる前にγ補正を行う。
【０１１８】
このようにして発光量比に対応する補正係数が乗算されたＲ、Ｇ、Ｂ各色別の画像信号は、表示部１５２に再生表示される（Ｓ２２８）。
【０１１９】
＜第３実施形態＞
図１３は、本発明に係る第３実施形態の電子カメラ１０ｃの機能的構成を示すブロック図である。
【０１２０】
図１３において、第３実施形態の電子カメラ１０ｃは、主として、メモリ２４、撮像部１１６、補正部１２６、信号レベル測定部１４８、表示部１５２、記録部５６、多色発光源６２、発光バランス切換部１７３、補正係数算出部１７４、及び、発光量比取得部１７５を含んで構成されている。なお、図１３において、図５に示す第１実施形態の電子カメラ１０ａの構成要素と同じ構成要素には同じ符号を付してある。
【０１２１】
図１３に示す第３実施形態の機能的構成の電子カメラ１０ｃの構成要素と図４に示す基本構成の電子カメラ１０の構成要素との対応関係について簡単に説明すると、撮像部１１６は主として図４のＣＣＤ１６によって構成され、補正部１２６は主として図４のデジタル信号処理回路２６によって構成され、信号レベル測定部１４８は主として図４の積算回路４８によって構成され、表示部１５２は主として図４の液晶モニタ５２によって構成され、発光バランス切換部１７３、補正係数算出部１７４及び発光量比取得部１７５は、主として図４のＣＰＵ７０によって構成されている。
【０１２２】
第３実施形態おけるメモリ２４には、撮像部１１６の分光感度特性に合わせた発光量比を示す発光量情報が予め記憶されている。
【０１２３】
また、第３実施形態おける発光量比取得部１７５は、メモリ２４から発光量比を示す発光量情報を取得する。
【０１２４】
また、第３実施形態における発光バランス切換部１７３は、発光量比取得部１７５によって取得された発光量比で多色発光源６２のＬＥＤ６２Ｒ、６２Ｇ、６２Ｂ、６２Ｅを発光させることにより、多色発光源６２の発光バランスを切り換える。
【０１２５】
このようにして多色発光源６２の発光バランスを切り換える際、発光バランス切換部１７３は、撮像部１１６から出力されるＲ、Ｇ、Ｂ各色別の画像信号がそれぞれ飽和しない範囲内で多色発光源６２の発光バランスを切り換える。
【０１２６】
図１４は、第３実施形態の電子カメラ１０ｃにおける制御処理の一例の流れの概略を示すフローチャートである。
【０１２７】
なお、以下では、Ｒ、Ｇ、Ｂの３色のＬＥＤ６２Ｒ、６２Ｇ、６２Ｂのみ発光させる場合を例に説明する。
【０１２８】
まず、Ｒ、Ｇ、Ｂ各色別のＬＥＤ６２Ｒ、６２Ｇ、６２Ｂの発光量比をメモリ２４から取得する（Ｓ３０８）。
【０１２９】
ここで、発光量比は、撮像部１１６の分光感度特性に基づいて決められる係数である。
【０１３０】
詳細には、撮像部１１６は、その撮像部１１６を構成するカラーフィルタやフォトダイオード、あるいはフォトダイオードに蓄積された電荷に対応する電圧を取り出す回路の違いにより、一般に、その撮像部１１６ごとに異なる分光感度特性を有している。すなわち、撮像部１１６から得られるＲ、Ｇ、Ｂ各色別の画像信号のレベル比（信号レベル比）は、撮像部１１６の分光感度特性に因って異なってくる。そこで、撮像部１１６の分光感度特性に基づいてＲ、Ｇ、Ｂ各色別のＬＥＤ６２Ｒ、６２Ｇ、６２Ｂの発光量比を予め決めておき、メモリ２４に予め記憶しておく。
【０１３１】
例えば、ある撮像部１１６の分光感度特性が、Ｒ：Ｇ：Ｂ＝０．７：１：０．７であるものとする。すなわち、緑（Ｇ）の光に対する感度を「１」としたとき、赤（Ｒ）の光に対する感度、及び、青（Ｂ）の光に対する感度が、ともに「０．７」であるものとする。このような場合、Ｒ、Ｇ、Ｂ各色別のＬＥＤ６２Ｒ、６２Ｇ、６２Ｂの発光量比は、分光感度比の逆数と略同一のＲ：Ｇ：Ｂ＝１．４：１：１．４として、メモリ２４に記憶しておく。
【０１３２】
本実施形態では、このようなメモリ２４に予め記憶された発光量比をそのメモリ２４から取得し（Ｓ３０８）、この発光量比に基づいて本発光を行う（Ｓ３１２）。
【０１３３】
なお、本発光（Ｓ３１２）より後のステップ（Ｓ１１４、Ｓ１１６、Ｓ１１８、Ｓ１２２、Ｓ１２４）は、図９を用いて説明した第１実施形態における同じ符号の各ステップと略同一であり、既に説明したので、その説明を省略する。
【０１３４】
＜第４実施形態＞
図１５は、本発明に係る第４実施形態の電子カメラ１０ｄの機能的構成を示す要部ブロック図である。
【０１３５】
図１５において、第４実施形態の電子カメラ１０ｄは、主として、距離情報取得部４１、撮像部１１６、補正部１２６、信号レベル測定部１４８、表示部１５２、記録部５６、多色発光源６２、信号レベル比算出部１７１、発光量算出部１７２４、発光バランス切換部１７３、及び、補正係数算出部１７４を含んで構成されている。なお、図１５において、図５に示す第１実施形態の電子カメラ１０ａの構成要素と同じ構成要素には同じ符号を付してある。
【０１３６】
図１５において、発光量算出部１７２４は、図４の説明において既に説明した距離情報取得部４１によって取得された被写体距離に基づいて、多色発光源６２を構成する各ＬＥＤ６２Ｒ、６２Ｂ、６２Ｇ、６２Ｅごとの発光量を算出する。具体的には、発光量算出部１７２４は、被写体との距離が遠いほど強く発光させるように発光量を算出する。
【０１３７】
また、発光量算出部１７２４は、多色発光源６２がプリ発光したときには、信号レベル比算出部１７１によって算出されたＲＧＢ各色の画像信号の信号レベル比にも基づいて、各ＬＥＤ６２Ｒ、６２Ｂ、６２Ｇ、６２Ｅごとの発光量を算出する。
【０１３８】
第４実施形態における発光バランス切換部１７３は、発光量算出部１７２４によって算出された各ＬＥＤ６２Ｒ、６２Ｂ、６２Ｇ、６２Ｅごとの発光量でこれらのＬＥＤ６２Ｒ、６２Ｇ、６２Ｂ、６２Ｅを発光させる。
【０１３９】
第４実施形態における補正係数算出部１７４は、発光量算出部１７２４によって算出された各ＬＥＤ６２Ｒ、６２Ｂ、６２Ｇ、６２Ｅごとの発光量に基づいて、Ｒ、Ｇ、Ｂ各色別の画像信号に乗算されるＲ、Ｇ、Ｂ各色別の補正係数を算出する。
【０１４０】
図１６は、被写体距離を示す距離情報の取得を行う際の本電子カメラ１０ｄの動作の流れを示すタイミングチャートである。
【０１４１】
シャッタボタン４０１の半押し（すなわち撮影準備指示の入力）によりＳ１スイッチがオンとなったとき、ＡＦ（オートフォーカス）制御を行い、図４の撮影レンズ１２を用いたオートフォーカスに基づいて被写体距離を取得する。
【０１４２】
このようにして取得された被写体距離に基づいて、被写体との距離が遠いほど強く発光させるようにして、多色発光源６２を構成する各ＬＥＤ６２Ｒ、６２Ｂ、６２Ｇ、６２Ｅごとの発光量が算出される。
【０１４３】
なお、多色発光源６２をプリ発光させたときには、ＲＧＢ各色の画像信号の信号レベル比にも基づいて、各ＬＥＤ６２Ｒ、６２Ｂ、６２Ｇ、６２Ｅごとの発光量が算出される。
【０１４４】
シャッタボタン４０１の全押し（すなわち撮影開始指示の入力）によりＳ２スイッチがオンとなったとき、算出された各ＬＥＤ６２Ｒ、６２Ｂ、６２Ｇ、６２Ｅごとの発光量でこれらのＬＥＤ６２Ｒ、６２Ｇ、６２Ｂ、６２Ｅを発光させる。そして、撮像部１１６から画像信号が取り込まれ、各ＬＥＤ６２Ｒ、６２Ｂ、６２Ｇ、６２Ｅごとの発光量に基づいて算出された補正係数により画像信号が補正されて、その補正された画像信号の記録や再生表示が行われる。
【０１４５】
以上、多色発光源６２を有するストロボ装置６０を内蔵した電子カメラ１０を例に本発明を説明したが、以下では、多色発光源６２を備え、この多色発光源６２の発光バランスを切り換えるようにしたストロボ装置について、説明する。
【０１４６】
図１７は、ストロボ装置６００の外観図である。
【０１４７】
図１７において、ストロボ装置６００は、下面にホットシュー６２２が設けられたストロボ本体部６２０と、このストロボ本体部６２０の上部に配設されたストロボ発光部６３０とから構成されている。
【０１４８】
ストロボ本体部６２０の前面には、被写界の色配分比を検出するためのフォトセンサ６２４（赤フィルタ付きのフォトセンサ６２４Ｒ、緑フィルタ付きのフォトセンサ６２４Ｇ、青フィルタ付きのフォトセンサ６２４Ｂ、及び、青緑フィルタ付きのフォトセンサ６２４Ｅ）が設けられ、側面にはストロボ光の発光バランス（発光量比）をマニュアルで設定するマニュアルモードと発光バランスを自動的に設定するオートモードとを切り換える切換スイッチ６２６と、マニュアルモード時にストロボ光の発光バランスを設定する発光バランス設定ボリューム６２８とが設けられている。
【０１４９】
また、図１７上で、６３２はストロボ発光部６３０の発光窓部に設けられているフレネルレンズであり、６３４はストロボ調光用の受光センサである。
【０１５０】
図１８は上記ストロボ装置６００の背面図である。このストロボ装置６００の背面には、発光バランス記憶スイッチ６２１（621-1〜621-3) と、表示ランプＬ１〜Ｌ３と、発光バランス読出スイッチ６２３とが設けられている。発光バランス記憶スイッチ６２１は、いずれかのスイッチが操作されると、そのスイッチ操作時にフォトセンサ６２４によって検出された被写界の色配分比に適した発光バランス（発光量比）が算出されてその発光バランス（発光量比）がストロボ装置６００内の不揮発性メモリ（ＥＥＰＲＯＭ）６２５（図１９参照）に記憶される。尚、この実施の形態では、発光バランス記憶スイッチ621-1〜621-3により３種類の発光バランスを記憶させることができる。
【０１５１】
発光バランス読出スイッチ６２３は、発光バランス記憶スイッチ621-1〜621-3のスイッチ操作に基づいて記憶された発光バランスを読み出すためのスイッチであり、ワンプッシュするごとに発光バランス記憶スイッチ621-1〜621-3のスイッチ操作に基づいて記憶された発光バランスを順次選択して読み出す。表示ランプＬ１〜Ｌ３は発光バランス記憶スイッチ621-1〜621-3に対応して設けられており、現在選択されている発光バランスに対応する光量で表示ランプが点灯する。
【０１５２】
なお、ストロボ発光部６３０には、図３（ａ）に示す多色発光源６２ａ又は図３（ｂ）に示す多色発光源６２ｂが形成されている。
【０１５３】
図１９は上記ストロボ装置６００の内部構成例を示すブロック図である。
【０１５４】
このストロボ装置６００は、前述した発光バランス記憶スイッチ６２１、発光バランス読出スイッチ６２３、色配分比を検出するためのフォトセンサ６２４、ＥＥＰＲＯＭ６２５、切換スイッチ６２６、発光バランス設定ボリューム６２８、ストロボ調光用の受光センサ６３４、及びＬＥＤ群６２（多色発光源）の他に、電池６４０、電圧アップコンバータ６４２、大容量のコンデンサ６４４、オペアンプ６３Ｒ、６３Ｇ、６３Ｂ、６３Ｅ、システムコントローラ６５２、調光回路６５４、及び温度センサ６５６が設けられている。
【０１５５】
システムコントローラ６５２は、ストロボ装置６００を統括制御するもので、電圧アップコンバータ６４２を制御し、電池６４０の電圧（例えば６Ｖ）を１０Ｖ程度に昇圧させ、この昇圧させた電圧によりコンデンサ６４４を充電させる。尚、コンデンサ６４４は、例えば２〜５秒程度の長い時間で充電されるとともに、１／６０秒（約１６ｍ秒）以上、ＬＥＤ群６２に電流を継続供給できるものとする。
【０１５６】
このコンデンサ６４４に蓄積された電気エネルギーは、オペアンプ６３Ｒ、６３Ｇ、６３Ｂ、６３Ｅを介してＲ、Ｇ、Ｂ、ＥのＬＥＤ６２Ｒ、６２Ｇ、６２Ｂ、６２Ｅに供給されるが、システムコントローラ６５２は上記オペアンプ６３Ｒ、６３Ｇ、６３Ｂ、６３Ｅを制御し、Ｒ、Ｇ、Ｂ、ＥのＬＥＤ６２Ｒ、６２Ｇ、６２Ｂ、６２Ｅの発光時間、発光量を制御する。
【０１５７】
システムコントローラ６５２は、図示しないカメラからホットシュー６２２（図１７参照）を介してシャッターレリーズに同期した発光信号を入力し、また、シリアル通信でガイドナンバーなどの全体のストロボ発光量を決定するための情報を取り込んでいる。また、システムコントローラ６５２は、切換スイッチ６２６がマニュアル側に切り換えられていると、発光バランス設定ボリューム６２８で設定した発光バランスとなるようにストロボ光の発光バランスを制御したり、切換スイッチ６２６がオート側に切り換えられていると、色配分比検出用のフォトセンサ６２４によって検出した被写界の色配分比に適した発光量比となるようにストロボ光の発光バランス（発光量比）を制御する。尚、色配分比検出用のセンサはこの実施の形態に限定されず、種々のものが使用できる。また、この実施の形態では、光の赤（Ｒ）、緑（Ｇ）、青（Ｂ）、青緑（Ｅ）成分の強度の比に基づいて色配分比を検出するようにしているが、光のＲ、Ｇ、Ｂ成分の強度の比、あるいは、光のＲ、Ｂ成分の強度の比に基づいて、色配分比を検出するようにしてもよい。
【０１５８】
更に、システムコントローラ６５２は、発光バランス記憶スイッチ６２１が操作されると、そのスイッチ操作時に色配分比検出用のフォトセンサ６２４が検出した被写界の色配分比に基づいて、この色配分比に適した発光バランス（発光量比）を算出して、この発光バランスをＥＥＰＲＯＭ６２５に記憶させ、一方、発光バランス読出スイッチ６２３が操作されると、ＥＥＰＲＯＭ６２５に記憶された発光バランス（発光量比）を読み出し、この読み出した発光バランスとなるようにストロボ光の発光バランスを制御する。これにより、例えば、式場のスポットライト、天井の照明、スタジオ照明などの色配分比に適した発光バランスを発光バランス記憶スイッチ６２１を操作してＥＥＰＲＯＭ６２５に登録し、撮影前に発光バランス読出スイッチ６２３を操作してＥＥＰＲＯＭ６２５に登録された所望の発光バランスを読み出し、その読み出した発光バランスのストロボ光を発光させることができる。
【０１５９】
尚、ＬＥＤは周囲温度によって光量が変動するため、ＬＥＤ群６２の周囲温度を検出する温度センサ６５６が設けられており、システムコントローラ６５２は、この温度センサ６５６によって検出されたＬＥＤ群６２の周囲温度に基づいてその周囲温度にかかわらず所要の発光量が得られるようにＬＥＤ群６２への電流制御を行っている。
【０１６０】
次に、上記システムコントローラ６５２の動作を図２０に示すタイミングチャートを参照しながら説明する。
【０１６１】
まず、システムコントローラ６５２は、ストロボ撮影を行うためのストロボオン信号（図２０（Ａ））により充電を開始させる信号を電圧アップコンバータ６４２に出力し、コンデンサ６４４の充電を開始させ、コンデンサ６４４の充電が完了すると、電圧アップコンバータ６４２による充電動作を停止させる（図２０（Ｂ）、（Ｃ））。
【０１６２】
その後、シャッタボタンが半押しされると、スタンバイ状態となり（図２０（Ｄ））、ガイドナンバーなどの全体のストロボ発光量を決定するための情報を取り込む。また、切換スイッチ６２６がオートモードに切り換えられている場合には、色配分比検出用のフォトセンサ６２４から被写界の色配分比を読み取り、切換スイッチ６２６がマニュアルモードに切り換えられている場合には、マニュアルで設定された発光バランスを読み取り、更に発光バランス読出スイッチ６２３が操作されている場合には、ＥＥＰＲＯＭ６２５から発光バランスを読み取る（図２０（Ｅ））。
【０１６３】
システムコントローラ６５２は、前記取り込んだ情報に基づいてストロボ発光量を決定し、そのストロボ発光量を得るための発光量調整用の基準値を調光回路６５４に出力し、また、被写界の色配分比に基づいてその色配分比に適した発光バランスの光が発光されるように、Ｒ、Ｇ、ＢのＬＥＤ６２Ｒ、６２Ｇ、６２Ｂ、６２Ｅの発光量の比を決定し、この比に対応するＲ、Ｇ、Ｂ発光レベルを設定する（図２０（Ｆ））。
【０１６４】
次に、シャッタボタンが全押しされてシャッタが開くと、そのシャッタ開に同期した発光信号を入力し、前記設定したＲ、Ｇ、Ｂ発光レベルを示す制御信号をそれぞれオペアンプ６３Ｒ、６３Ｇ、６３Ｂ、６３Ｅの正入力に出力する。一方、オペアンプ６３Ｒ、６３Ｇ、６３Ｂ、６３Ｅの負入力には、各ＬＥＤ６２Ｒ、６２Ｇ、６２Ｂ、６２Ｅに流れる電流値に対応した信号が加えられており、オペアンプ６３Ｒ、６３Ｇ、６３Ｂ、６３Ｅは、前記設定したＲ、Ｇ、Ｂ、Ｅ発光レベルに対応した定電流が各ＬＥＤ６２Ｒ、６２Ｇ、６２Ｂ、６２Ｅに流れるように制御する。
【０１６５】
これにより、ＬＥＤ群６２からは、全体として被写界の色配分比に適した発光バランスでストロボ光が発光される（図２０（Ｇ））。
【０１６６】
ＬＥＤ群６２からストロボ光が発光されると、調光回路６５４は、ストロボ調光用の受光センサ６３４を介して発光量を検知する。そして、この検知した発光量が発光量調整用の基準値と一致すると、発光を停止させるために発光停止信号をシステムコントローラ６５２に出力する。システムコントローラ６５２は、調光回路６５４から発光停止信号を入力すると、ＬＥＤ群６２の発光を停止させる制御信号をオペアンプ６３Ｒ、６３Ｇ、６３Ｂ、６３Ｅに出力する。これにより、ＬＥＤ群６２に流れる電流が遮断され、ＬＥＤ群６２の発光が停止する。
【０１６７】
図２１は、電子カメラ１０に着脱可能な外付け用のストロボ装置６０の他の例の外観を示す斜視図である。
【０１６８】
図２１に示すストロボ装置６０００は、接続部６４に配置された図２２に示す通信接点６５を介して電子カメラから入力された指示に従って、Ｒ、Ｇ、Ｂ、Ｅ各色別のＬＥＤからなる多色発光源６２が発光するようになっている。
【０１６９】
互いに異なる色で発光する複数の発光素子（例えばＬＥＤ）を含む多色発光源６２を備えた、電子カメラの本体に外付け可能な発光装置について整理すると、以下のような発光装置が挙げられる。
【０１７０】
第１に、多色発光源６２の各発光素子ごとに発光量を制御することにより多色発光源６２の発光バランスを切り換える発光バランス切換手段であって、電子カメラのＣＣＤで被写体を撮像して得られたＲ、Ｇ、Ｂ各色別の画像信号が飽和しない範囲内で、電子カメラのＣＣＤやその周辺回路の分光感度特性に基づいて感度が低い色ほど強く発光させる発光バランス切換手段を備えた発光装置がある。
【０１７１】
第２に、被写体の本撮影前に、フォトセンサで被写体を撮像して得られるＲ、Ｇ、Ｂ各色別の画像信号に基づいて外光の色配分比を算出する算出手段と、多色発光源６２の各発光素子ごとに発光量を制御することにより多色発光源６２の発光バランスを切り換える発光バランス切換手段であって、被写体の本撮影時に、前記算出手段によって算出された色配分比が低い色ほど強く発光させる発光バランス切換手段を備えた発光装置がある。
【０１７２】
第３に、被写体の本撮影前に、電子カメラのＣＣＤで被写体を撮像して得られたＲ、Ｇ、Ｂ各色別の画像信号に基づいて被写体の色配分比を算出する算出手段と、多色発光源６２の各発光素子ごとに発光量を制御することにより多色発光源６２の発光バランスを切り換える発光バランス切換手段であって、被写体の本撮影時に、算出手段の算出結果に基づいて被写体の色配分比が低い色ほど強く発光させる発光バランス切換手段を備えた発光装置がある。
【０１７３】
第４に、被写体距離を示す距離情報を取得する距離情報取得手段と、多色発光源６２の各発光素子ごとに発光量を制御することにより多色発光源６２の発光バランスを切り換える発光バランス切換手段であって、前記距離情報取得手段によって取得された被写体距離を示す距離情報に基づいて被写体との距離が遠いほど強く発光させる発光バランス切換手段を備えた発光装置がある。
【０１７４】
なお、多色発光源６２が赤（Ｒ）、緑（Ｇ）、青（Ｂ）、青緑（Ｅ）の４色の発光素子からなる場合を例に説明したが、本発明は、多色発光源６２が赤、緑、青、青緑の４色からなる場合に特に限定されるものではない。多色発光源６２が、３色（例えば、赤、緑、青）の発光素子からなる場合であってもよく、赤、緑、青、青緑とは異なる組み合わせの４色の発光素子であってもよく、５色以上の発光素子からなる場合であってもよい。
【０１７５】
なお、本発明に係る撮影装置の一例として、電子カメラを説明したが、本発明に係る撮影装置は、被写体を撮影する各種の撮影装置を含む。例えば、カメラ付き携帯装置、固定的に設置される監視カメラ、車両などの移動体に搭載されるカメラなど、あらゆる撮影装置を含む。
【０１７６】
以上、本発明の実施形態について詳細に説明したが、本発明は、本明細書において説明した構成及び数値、図面などによっては限定されず、本発明の要旨を逸脱しない範囲において、各種の設計変更や改良を行ってよいのはもちろんである。
【図面の簡単な説明】
【０１７７】
【図１】ストロボ装置を内蔵した電子カメラの一例を正面側から見た外観を示す斜視図
【図２】図１の電子カメラを背面側から見た外観を示す斜視図
【図３】ストロボ装置の多色発光源の例を示す正面図
【図４】電子カメラの内部の基本構成を示すブロック図
【図５】第１実施形態の電子カメラの機能的構成を示す要部ブロック図
【図６】Ｒ、Ｇ、Ｂ各色の画像信号のレベルが飽和しない範囲内で強く発光させることの説明に用いる説明図
【図７】プリ発光及び本発光を行う場合の第１実施形態の電子カメラの電子カメラの動作の流れを示すタイミングチャート
【図８】プリ発光及び本発光を行わない場合の第１実施形態の電子カメラの電子カメラの動作の流れを示すタイミングチャート
【図９】第１実施形態の電子カメラの制御処理の一例の概略を示すフローチャート
【図１０】第２実施形態の電子カメラの機能的構成を示す要部ブロック図
【図１１】第２実施形態の電子カメラのプリ発光時及び本発光時の制御処理の一例の概略を示すフローチャート
【図１２】第２実施形態の電子カメラの再生時の制御処理の一例の概略を示すフローチャート
【図１３】第３実施形態の電子カメラの機能的構成を示す要部ブロック図
【図１４】第３実施形態の電子カメラの制御処理の一例の概略を示すフローチャート
【図１５】第４実施形態の電子カメラの機能的構成を示す要部ブロック図
【図１６】第４実施形態の電子カメラの電子カメラの動作の流れを示すタイミングチャート
【図１７】電子カメラに着脱可能なストロボ装置の一例の外観を示す斜視図
【図１８】図１７のストロボ装置の背面図
【図１９】図１７のストロボ装置の内部構造を示すブロック図
【図２０】図１７のストロボ装置の動作を説明するためのタイミングチャート
【図２１】電子カメラに着脱可能なストロボ装置の他の例の外観を示す斜視図
【図２２】図２１のストロボ装置における電子カメラとの通信接点の一例を示す図
【符号の説明】
【０１７８】
１２…撮影レンズ、１４…絞り、１６…ＣＣＤ（撮像部）、２６…デジタル信号処理部（補正部）、２４、３６…メモリ、４０…操作部、４１…距離情報取得部、４８…積算回路（信号レベル測定部）、５２…液晶モニタ（表示部）、５４…圧縮／伸長回路、５６…記録部、５８…記録メディア（記録媒体）、６０、６００…ストロボ装置、６２…多色発光源（ＬＥＤ群）、６２Ｒ、６２Ｇ、６２Ｂ、６２Ｅ…ＬＥＤ、７０…ＣＰＵ、１１６…撮像部、１２６…補正部、１４８…信号レベル測定部、１５２…表示部、１７１…信号レベル算出部、１７２…発光量比算出部、１７３…発光バランス切換部、１７４…補正係数算出部、１７５…発光量比取得部、４０１…シャッタボタン、４０３…発光バランス切換スイッチ
【図１】
2007017623.tif 000003
【図２】
2007017623.tif 000004
【図３】
2007017623.tif 000005
【図４】
2007017623.tif 000006
【図５】
2007017623.tif 000007
【図６】
2007017623.tif 000008
【図７】
2007017623.tif 000009
【図８】
2007017623.tif 000010
【図９】
2007017623.tif 000011
【図１０】
2007017623.tif 000012
【図１１】
2007017623.tif 000013
【図１２】
2007017623.tif 000014
【図１３】
2007017623.tif 000015
【図１４】
2007017623.tif 000016
【図１５】
2007017623.tif 000017
【図１６】
2007017623.tif 000018
【図１７】
2007017623.tif 000019
【図１８】
2007017623.tif 000020
【図１９】
2007017623.tif 000021
【図２０】
2007017623.tif 000022
【図２１】
2007017623.tif 000023
【図２２】
2007017623.tif 000024